(57)【要約】【課題】ビール・発泡酒などをカップに注いだ時、微細でクリーミーな泡立ちと飲料物本来の味を長い時間堪能することが出来る陶磁器製発泡促進具を提供する。【解決手段】  本発明は、粒状性の粗い素焼き粘土で作られた透過性を有する陶磁器製でビール等の飲料物の泡の発生を促進させることを特徴とする陶磁器製発泡促進具を提供する。【選択図】図１
2012180126.tif 000002
【特許請求の範囲】
【請求項１】
陶磁器製発泡促進具（図２）は粒状性の荒い素焼き粘土を基体とする陶磁器（ａ）と複数の陶磁器脚部（ｂ）によって構成されることを特徴とする陶磁器製発泡促進具。
【請求項２】
請求項１に示すとおり陶磁器製発泡促進具（図２）は陶磁器（ａ）、陶磁器（ｂ）とし、その上側表面は粗面にし、下側表面はＶ字形の泡のリード溝（ｅ）と中央部に開口穴（ｃ）を有することを特徴とする陶磁器製発泡促進具
【請求項３】
請求項１に示すとおり陶磁器製発泡促進具（図２）は、グラス、カップ類容器の内側面と密着固定させるため陶磁器（ｂ）にスプリング（ｄ）を装着する事を特徴とする陶磁器製発泡促進具
【発明の詳細な説明】
【技術分野】
【０００１】本発明はグラスカップ等の容器に発泡飲料を注いだ時又はグラスカップ等の発泡飲料に微細でクリーミーな泡を持続的に発生させる陶磁器発泡促進具に関するものである。
【背景技術】
【０００２】従来、グラス、カップ（金属、ガラス、陶磁器）等の内部表面を粗面にし泡立促進する方法がありましたが、経時変化（数十回の使用）によって、その泡立効果を失って居りました。【０００３】一般に、ビール等をコップに注いだときの発泡は、コップの内表面の微細な凹凸にビールが接触し、その衝撃によりビール中の過飽和の炭酸ガスが放出されることとして知られている。【０００４】従来、ビールを注いだ際の泡立ちを良くするために種々の改良が重ねられてきた。その一つとして、素焼きのように素材全体が多孔質としたコップが市販されている。しかし、素焼きのコップでは経時変化（数十回の使用）によって、その泡立効果の減退は避けられない。【０００５】そこで、グラス、カップ本体を加工するのではなく、素焼きで多孔質の陶磁器製発泡促進具を別途に作成した
【先行技術文献】
【特許文献】
【０００６】
【特許文献１】特開２００３−０２６１４０
【特許文献２】特開２００９−２２６１５
【発明の概要】
【発明が解決しようとする課題】
【０００７】従来、グラス、カップ（金属、ガラス、陶磁器）等に泡立する方法を一体として作成されていたため、泡立効果喪失と共にその価値をなくしていた。前記の金属、ガラス、陶磁器で作成されたカップ容器は、ビール・発泡酒など泡が立つ飲料物を注ぐと泡立ちが悪く、泡の粒子が大きいほど短時間で消えていく。このため前記飲料物中の炭酸ガス、旨み成分が泡に含まれず、空気と触れることによって短時間で泡の消失が進み旨み（味）が長時間堪能できませんでした。
本発明は前記の点に鑑みなされたものであり、ビール等を注いだ際に豊かな泡立ちを生じさせるため独立した素焼きで多孔質の陶磁器製発泡促進具を提供する。
図２において、上記記載の素焼きで多孔質の陶磁器製発泡促進具（ａ）は透過性を有する粒状性の荒い素焼き粘土で構成されている。
図２に示すように、上記記載の素焼きで多孔質の陶磁器製発泡促進具（ａ）はスプリング部（ｄ）よってグラス、カップ（金属、ガラス、陶磁器）等の内側面を密着することで中央に安定している。【０００８】グラス、カップ（金属、ガラス、陶磁器）等にビール・発泡酒・泡の立つ飲料物を注ぎ込むと、発泡促進具（ａ）は粒状性の粗い透過性を有しておりますので、注がれたビール・発泡飲料水は、深く浸透することで更に、空気の粒によって泡化が増幅され、この浸透作用が、より微細でクリーミーな泡となります。【０００９】上記記載の促進具（ａ）は、複数の脚部（ｂ）持ち全体を凸型に加工されることによって、促進具（ａ）下側面に発生した泡は、泡リード溝（ｅ）によって上部に導かれ中央開口部（ｃ）より上昇するため、複数の脚部（ｂ）によりグラス、カップ（金属、ガラス、陶磁器）等の間に生じた間隙よりビール・発泡酒等が下部に回り込みより泡化が増幅促進され、この浸潤作用が泡立ちの良い微細でクリーミーな泡となります。【００１０】上記記載の促進具（ａ）の上面は、粗面に加工されることによって、液体との接触面を増すためより泡立ちが促進される。【００１１】発泡促進具（ａ）とグラス、カップ（金属、ガラス、陶磁器）等とはスプリング（ｄ）よって中央に固定定着され、発泡促進具（ａ）の移動反転を防ぐ、これによって容器の中の粒子に含まれる空気の流失が無いため注がれたビール・発泡酒・泡の立つ飲料物の泡は粒子の中の空気以外に触れることがないため泡の崩れが起こりません、このため泡の持続時間が長く保たれます。
【課題を解決するための手段】
【００１２】上記目的を達成するため泡立促進機能部分（ａ）を分離し、専用の素焼き陶磁器製発泡促進具（ａ）を作成した【００１３】すなわち、請求項１の発明は、素焼き陶磁器製発泡促進具（ａ）の上側面を粗面して形成、複数の脚を持たせたことを特徴とする素焼き陶磁器製発泡促進具に係る。【００１４】請求項２の発明は、前記素焼き陶磁器製発泡促進具（ａ）の底面側から開口部（ｃ）に向けてＶ字溝（ｅ）を成して該発泡促進具の一部に形成されている請求項１に記載のコップに係る。【００１５】請求項３の発明は、前記発泡促進具（ａ）の脚部（ｂ）にスプリング（ｄ）を形成されている請求項１に記載の発泡促進具（ａ）に係る。
【発明の効果】
【００１６】泡立促進具（ａ）が独立した為、容器はその目的のため使用され、泡立促進器具（ａ）はその目的に従い、グラス、カップ（金属、ガラス、陶磁器）等の内部にあらかじめ発泡促進具を置き発泡飲料等を注ぐ時に発泡させる、又は、容器内の発泡飲料等の泡の量が少なくなった時、泡立促進具を沈下させて発泡飲料の泡立促進を促す事が出来る【００１７】請求項１の発明に係る発泡促進具（ａ）によると、発泡促進具（ａ）は粒状性の荒い素焼き粘土で細孔が形成されたため、ビール類を注いだ際の浸潤作用がより豊かな泡立ちを生じさせることができる。【００１８】請求項２の発明に係る発泡促進具（ａ）によると、請求項１に記載の発明において、前記粒状性の荒い素焼き粘土で細孔が、前記促進具（ａ）の上部（図１）粗面側から該促進具（ａ）の表面の一部に形成されているため、ビール類をコップに注ぐ際に直接ビール類は上表粗面に接触する。溶存していた過飽和の炭酸ガスが小泡となって発生し易くなる。
そこで、ビール等を注いだ際に生じた泡の持続時間をより長くすることができる。【００１９】請求項２の発明に係る発泡促進具（ａ）によると、請求項１に記載の発明において、前記粒状性の荒い素焼き粘土の細孔が、前記促進具（ａ）の陶磁器（ｂ）下部（図４）底面Ｖ字溝（ｅ）側から中央部に開口穴（ｃ）に向けて放射状を成して該促進具（ａ）の下部表面に形成されているため、ビール類をコップに注ぐ際に直接ビール類は促進具（ａ）に接触する。
また、ビール類をコップの注いだ際の液面の上昇に伴い、順次、ビール類は底面Ｖ字溝（ｅ）側から、中央部に開口穴（ｃ）に向け溶存していた過飽和の炭酸ガスが小泡となって発生し中央に集中上昇し易くなる。そこで、ビール等を注いだ際に生じた泡の上下循環作用がよりスムーズになり持続時間をより長くすることができる。
【図面の簡単な説明】
【００２０】
【図１】本発明の泡立促進具の実施例を示す構成図。
【図２】本発明の泡立促進具の斜視図。
【図３】本発明の泡立促進具の上面図。
【図４】本発明の泡立促進具の下面図。
【発明を実施するための形態】
【００２１】以下添付の図面に従って本発明を説明する。
図１は本発明の一実施例に係る泡立促進具の概念図である、図２は実施例に係る泡立促進具の全体斜視図、図３は泡立促進具の上側表面図、図４本発明の泡立促進具の下側表面図示す。
【００２２】本発明の泡立促進具とは、発泡飲料等を注いだ際に程良い泡立ちを生じさせる特性を有する発泡飲料等の泡立促進器具である。この泡立促進具の材質は粒状性の荒い素焼きの陶磁器（ａ）とスプリング（ｄ）から形成される。
【００２３】ビール類を注いだ際よりきめ細かい泡立ちを生じさせるため、図３に示し、請求項２の発明に規定するように、泡立促進具の上部表面を粗面に形成している。
【００２４】  ビール類を注いだ際よりきめ細かい泡立ちを生じさせるため、図４に示し、請求項２の発明に規定するように、泡立促進具の中央には上下に貫通した穴（ｃ）を設け、脚部（ｂ）の下部表面に設け発泡した泡を中央に導き中央穴（ｃ）より上部に放出させるＶ字溝（ｅ）を形成している。
【００２５】図１から把握されるとおり、陶磁器（ａ）の下部表面に施されたＶ字溝（ｅ）は、ビール類をコップの注いでいるとき、ビール類に溶存していた過飽和の炭酸ガスが小泡となって発生し上昇を助け、更に泡を中央穴（ｃ）に集め液体の循環を促進させる
【００２６】図１から把握されるとおり、陶磁器（ａ）はビール類をコップの注いでいるとき、又は、注がれたビール類の液面が上昇するとき等、ビール類に溶存していた過飽和の炭酸ガスが小泡となって発生上昇、陶磁器（ａ）に浮力が生じ不安定になり移動したり、反転したりする、陶磁器（ａ）をスプリング（ｄ）によってグラス、カップ（金属、ガラス、陶磁器）等の内部中央に安定固定する
【符号の説明】
【００２７】ａ．．．．．．素焼き陶磁器
ｂ．．．．．．脚
ｃ．．．．．．中央開口
ｄ．．．．．．スプリング
ｅ．．．．．．Ｖ字泡リード溝
【図１】
2012180126.tif 000003
【図２】
2012180126.tif 000004
【図３】
2012180126.tif 000005
【図４】
2012180126.tif 000006